(57)【要約】【課題】別途照明器具を用いることなく室内の照明を行うことが可能なプロジェクタ、投影システム及び照明器具を提供すること。【解決手段】プロジェクタ１０は、天井２の照明用配線器具２０に取り付けて使用する。プロジェクタ１０は、筐体１１と、筐体１１の上面に配置され、照明用配線器具２０に取り付け可能なコネクタ１４と、筐体１１の下面に配置された照明装置１２と、を備える。このような構成によれば、プロジェクタ１０を天井２に常設しておくことができる。これにより、使用する際の配線作業や、使用終了時の片付け等が不要となる。また、照明用配線器具２０から電源の供給を受けることが可能なため、新たな電源配線の工事を必要とせず、簡便に取り付けを行うことができる。加えて、下面に照明装置１２が配置されているため、プロジェクタ１０を照明器具としても用いることができる。【選択図】図１
2008185757.tif 000002
【特許請求の範囲】
【請求項１】
天井に取り付けて使用するプロジェクタであって、
筐体と、
前記筐体の外面に配置され、前記天井に設けられた照明用配線器具に取り付け可能なコネクタと、
前記筐体のうち、前記コネクタが前記照明用配線器具に取り付けられた状態において床面に対向する面に配置された照明装置と、
を備えることを特徴とするプロジェクタ。
【請求項２】
請求項１に記載のプロジェクタであって、
前記照明装置は、前記照明装置の配置領域の略全体に均一な密度で配置された複数のＬＥＤ光源を有していることを特徴とするプロジェクタ。
【請求項３】
請求項１又は２に記載のプロジェクタであって、
投射する映像のデータをワイヤレスで受信する受信装置をさらに備えることを特徴とするプロジェクタ。
【請求項４】
請求項３に記載のプロジェクタを用いた投影システムであって、
前記天井の前記照明用配線器具に取り付けられた前記プロジェクタと、
前記受信装置に前記データをワイヤレスで送信する送信装置と、
前記天井と垂直な面に懸架され、前記プロジェクタから投写された映像が投影されるスクリーンと、
を備えることを特徴とする投影システム。
【請求項５】
天井に取り付けて使用する照明器具であって、
筐体と、
前記筐体の外面に配置され、前記天井に設けられた照明用配線器具に取り付け可能なコネクタと、
前記筐体のうち、前記コネクタが前記照明用配線器具に取り付けられた状態において床面に対向する面に配置された照明装置と、
前記筐体に内蔵されたプロジェクタと、
を備えることを特徴とする照明器具。
【発明の詳細な説明】
【技術分野】
【０００１】
本発明は、プロジェクタ、投影システム及び照明器具に関する。
【背景技術】
【０００２】
上記プロジェクタは、光源から射出された光を、例えばライトバルブとしての液晶装置によって変調した後に投射レンズを通してスクリーンに拡大投射するものである。こうしたプロジェクタは、近年、一般家庭においても映像観賞のために使用される機会が増えてきている。その際のプロジェクタの設置方法として、天井に設けられた照明用配線器具（例えばシーリングコンセント）にプロジェクタを取り付け、当該プロジェクタの下にさらに従来設置していた照明器具を取り付ける方法が知られている（特許文献１参照）。
【０００３】
【特許文献１】特開２００４−７８１５０号公報
【発明の開示】
【発明が解決しようとする課題】
【０００４】
しかしながら、このように設置すると、天井からプロジェクタ及び照明器具がこの順に連なった状態で吊下げられることとなるため、照明器具の位置が低くなってしまうという問題点がある。照明器具の位置が低くなると、照明範囲が狭くなるとともに、照明器具が人の移動の邪魔になってしまうことがある。
【０００５】
本発明は、以上の問題点に鑑みてなされたものであり、本発明の奏する効果の一つにより、プロジェクタの他に別途照明器具を用いることなく室内の照明を行うことが可能となる。
【課題を解決するための手段】
【０００６】
本発明のプロジェクタは、天井に取り付けて使用するプロジェクタであって、筐体と、前記筐体の外面に配置され、前記天井に設けられた照明用配線器具に取り付け可能なコネクタと、前記筐体のうち、前記コネクタが前記照明用配線器具に取り付けられた状態において床面に対向する面に配置された照明装置と、を備えることを特徴とする。
【０００７】
このような構成によれば、一般家庭等の天井に設けられた照明用配線器具にコネクタを取り付けることにより、プロジェクタを天井に常設しておくことができる。これにより、プロジェクタを使用する際のプロジェクタの移動及び配線作業や、使用終了時の片付けが不要となり、さらには不使用時の収納スペースも不要となる。また、照明用配線器具から電源の供給を受けることが可能なため、新たな電源配線の工事を必要とせず、簡便に取り付けを行うことができる。加えて、プロジェクタの筐体のうち床面に対向する面には照明装置が配置されているため、プロジェクタを照明器具としても用いることができる。すなわち、上記構成のプロジェクタによれば、別途照明器具を用いることなく、室内の照明を行うことができる。
【０００８】
上記プロジェクタにおいて、前記照明装置は、前記照明装置の配置領域の略全体に均一な密度で配置された複数のＬＥＤ光源を有していてもよい。このような構成によれば、プロジェクタの照明装置が均一な輝度の面発光を行うことができるため、見栄えがよく明るい照明が可能となる。また、ＬＥＤ光源を用いることで上記プロジェクタにおいて照明装置が占める体積を小さくすることができ、ひいてはプロジェクタを小型化することができる。
【０００９】
上記プロジェクタにおいては、投射する映像のデータをワイヤレスで受信する受信装置をさらに備えていてもよい。このような構成によれば、投射する映像のデータ（以下では単に映像データとも呼ぶ）の受信のための配線が不要となる。このため、プロジェクタの取り付け作業や映像の投影の準備作業を簡単に行うことができる。
【００１０】
本発明の投影システムは、上記プロジェクタを用いた投影システムであって、前記天井の前記照明用配線器具に取り付けられた前記プロジェクタと、前記受信装置に前記データをワイヤレスで送信する送信装置と、前記天井と垂直な面に懸架され、前記プロジェクタから投写された映像が投影されるスクリーンと、を備えることを特徴とする。
【００１１】
このような構成によれば、映像の投影に際し、プロジェクタやスクリーンの設置に必要な作業が僅かで済み、かつ送信装置とプロジェクタとの接続作業が不要なため、簡単に映像を投影することができる。また、映像の投影が終了した際の片付け作業も不要であり、さらにはプロジェクタに備え付けられた照明装置によっていつでも室内の照明を行うことができる。
【００１２】
本発明の照明器具は、天井に取り付けて使用する照明器具であって、筐体と、前記筐体の外面に配置され、前記天井に設けられた照明用配線器具に取り付け可能なコネクタと、前記筐体のうち、前記コネクタが前記照明用配線器具に取り付けられた状態において床面に対向する面に配置された照明装置と、前記筐体に内蔵されたプロジェクタとを備えることを特徴とする。
【００１３】
このような構成によれば、一般家庭等の天井に設けられた照明用配線器具にコネクタを取り付けることにより、プロジェクタを包含する照明器具を天井に常設しておくことができる。これにより、別途プロジェクタを用いることなく、映像の投影を行うことができる。すなわち、プロジェクタの移動及び配線作業や、使用終了時の片付けが不要となり、さらには不使用時の収納スペースも不要となる。また、筐体のうち床面に対向する面に設けられた照明装置によって、室内の照明を行うことができる。
【発明を実施するための最良の形態】
【００１４】
以下、図面を参照し、本発明の実施形態について説明する。なお、以下に示す各図においては、各構成要素を図面上で認識され得る程度の大きさとするため、各構成要素の寸法や比率を実際のものとは適宜に異ならせてある。
【００１５】
図１及び図２は、本発明における投影システムとしての部屋１の断面図である。部屋１の天井２には、照明用配線器具２０が設けられており、当該照明用配線器具２０には、種々の映像を投射可能なプロジェクタ１０が取り付けられている。プロジェクタ１０は、筐体１１と、筐体１１の上面に設けられたコネクタ１４と、筐体１１の下面の全面に配置された照明装置１２と、投射する映像のデータをワイヤレスで受信する受信装置４１とを有している。
【００１６】
部屋１のうち、天井２に垂直な壁面３には、カーテンレール３５が取り付けられている。カーテンレール３５には、カーテン３６が懸架されているとともに、当該カーテン３６の前面（室内側）にスクリーン３０が懸架されている。カーテンレール３５とスクリーン３０とは、吊下げ金具３２によって接続されている。スクリーン３０の投影面３１には、プロジェクタ１０から投射された映像が投影される。
【００１７】
部屋１の床面４には、プロジェクタ１０の受信装置４１に対して映像データをワイヤレスで送信可能な送信装置４０が設置されている。送信装置４０は、例えば映画が収録されたビデオテープ、ビデオディスク等を再生する再生装置やパーソナルコンピュータ等に接続され、これらの装置から入力された映像データの信号をワイヤレス発信部（図示せず）から受信装置４１に対して発信する。
【００１８】
ここで、図３から図５を用いて、天井２に取り付けられた照明用配線器具２０及びプロジェクタ１０の構成について説明する。図３は、プロジェクタ１０と照明用配線器具２０との接続の様子を示す斜視図であり、図４は、互いに接続された状態のプロジェクタ１０及び照明用配線器具２０の断面図である。図５は、プロジェクタ１０に備えられた照明装置１２の拡大平面図である。プロジェクタ１０は、本発明におけるプロジェクタに対応するとともに、本発明における照明器具にも相当する。
【００１９】
図３、図４に示すように、天井２には照明用配線器具２０が設けられている。照明用配線器具２０は、一般に住宅の天井に照明器具等を吊下げた状態で支持するために備え付けられた器具であり、シーリングコンセント、引掛シーリング又は引掛ローゼットなどとも呼ばれる。照明用配線器具２０は、箱型のケース内に一対の端子２２を有し、ケースの下面には端子２２と係合する後述の端子１５を差し込むための一対の端子穴２１が形成されている。そして、照明用配線器具２０は、ケースがボルト２３を介して天井２に固定されることによって天井２に取り付けられている。また、端子２２は、配線２４を介して例えば部屋１の壁に設けられたスイッチ（不図示）に接続されている。
【００２０】
一方、プロジェクタ１０は、箱型の筐体１１の上面に、照明用配線器具２０に取り付け可能なコネクタ１４を有している。また、筐体１１の側面には投射レンズ１３が備え付けられており、筐体１１の下面の全体には照明装置１２が配置されている。
【００２１】
このうちコネクタ１４は、上部に突き出した端子１５を有しており、当該端子１５を照明用配線器具２０の端子穴２１に差し込み、さらに照明用配線器具２０内の端子２２に引掛けることによって照明用配線器具２０に取り付けることができる。したがって、コネクタ１４の端子１５は、照明用配線器具２０の端子２２を介して上記の配線２４に電気的に接続される。このようなコネクタ１４及び照明用配線器具２０の接続機構は、プロジェクタ１０の全体を吊下げた状態で支持可能な強度を有している。
【００２２】
プロジェクタ１０の筐体１１の内部には、プロジェクタ用電源回路１６及び照明装置用電源回路１８が設けられており、これらはそれぞれ配線１７，１９を介してコネクタ１４の端子１５に接続されている。したがって、プロジェクタ用電源回路１６及び照明装置用電源回路１８は、端子１５に接続された照明用配線器具２０の端子２２、ひいては配線２４から電力の供給を受けることができる。照明装置用電源回路１８の動作の一例としては、プロジェクタ１０の投射動作の実行時にはオフとし、プロジェクタ１０の投射動作が行われていない場合にのみオンとすることができる。このような制御により、例えば映像を鑑賞する場合は部屋１を暗くし、映像を鑑賞しない場合は部屋１を明るくする等の制御をプロジェクタ１０のみで行うことができる。なお、プロジェクタ用電源回路１６は、照明装置用電源回路１８がオンとなっている場合にはオフとすることが好ましい。これにより、プロジェクタ１０の消費電力を低減させることができる。また、プロジェクタ用電源回路１６及び照明装置用電源回路１８の上記制御は、送信装置４０から受信装置４１に送られる信号によって行うことができる。
【００２３】
このような構成によれば、プロジェクタ１０を天井２に常設しておくことができる。これにより、プロジェクタ１０を使用する際のプロジェクタ１０の移動及び配線作業や、使用終了時の片付けが不要となり、さらには不使用時の収納スペースも不要となる。また、照明用配線器具２０から電源の供給を受けることが可能なため、新たな電源配線の工事を必要とせず、簡便に取り付けを行うことができる。
【００２４】
プロジェクタ１０の筐体１１の下面に配置された照明装置１２は、図５の拡大平面図に示すように、多数のＬＥＤ（Light Emitting Diode）光源１２ａを有している。図５は、照明装置１２を筐体１１の下面側から観察したときのＬＥＤ光源１２ａの配列の様子を示している。なお、照明装置１２は、実際には、光拡散性を有するカバー１２ｂによってＬＥＤ光源１２ａを覆った状態で使用される。ＬＥＤ光源１２ａは、筐体１１の下面の略全体に、均一な密度で配置されている。本実施形態では、等しいピッチで整列したＬＥＤ光源１２ａからなる列が、互いに半ピッチずつずれた状態で多数配列された構成となっている。ＬＥＤ光源１２ａの配置としては、この他にも、配置密度が場所によって変わらないようなものであれば、任意の配置とすることができる。各ＬＥＤ光源１２ａは、照明装置用電源回路１８から電流の供給を受けて一斉に発光する。そして、ＬＥＤ光源１２ａの配置密度が均一であるため、照明装置１２は、全体として均一な輝度の面発光を行うことができる。
【００２５】
このような照明装置１２を有するプロジェクタ１０は、天井２に取り付けられた照明器具としても機能する。すなわち、プロジェクタ１０を天井２に設置すれば、別途照明器具を用いることなく、室内の照明を行うことができる。さらに、照明装置１２にＬＥＤ光源１２ａを用いることにより、プロジェクタ１０において照明装置１２が占める体積を小さくすることができ、ひいてはプロジェクタ１０を小型化することができる。
【００２６】
以上のようにして天井２に取り付けられたプロジェクタ１０は、図１に示すように、部屋１においてスクリーン３０の投影面３１に映像を投影させることができる。すなわち、送信装置４０から受信装置４１へ送られた映像データに基づく映像を、筐体１１の側面に配置された投射レンズ１３から投射することにより、スクリーン３０の投影面３１に拡大して投影することができる。このとき、プロジェクタ１０の照明装置１２を消灯させておくか、照明装置用電源回路１８をオフにすることが好ましい。そうすることにより、部屋１を暗くすることができ、投影された映像をより鮮明に視認することができる。照明装置１２の点灯／消灯の切り替えは、送信装置４０からの信号により制御することができる。
【００２７】
図６は、プロジェクタ１０によって投射された映像を投影するためのスクリーン３０の模式図である。スクリーン３０は、カーテンレール３５から、カーテン３６とともに吊下げ金具３２を介して懸架されている。そして、スクリーン３０は、使用しない場合は図６（ａ）に示すように筒状に巻き取られており、使用する場合にのみ、図６（ｂ）に示すように投影面３１を下方に引き出して使用する。スクリーン３０及びプロジェクタ１０の位置、方向は、このように引き出された投影面３１にプロジェクタ１０からの投射映像が適正に投影されるように調整しておくことが好ましい。
【００２８】
以上のような構成の部屋１においては、スクリーン３０の投影面３１を引き出してプロジェクタ１０の投射動作を開始するだけで容易に映像を鑑賞することができる。すなわち、あらかじめプロジェクタ１０が天井２の照明用配線器具２０に取り付けられていることから、プロジェクタ１０の設置作業や配線作業が不要であり、かつスクリーン３０の投影面３１もプロジェクタ１０の投射方向に合わせて調整してあってスクリーン３０の位置決め作業も不要であるので、僅かな作業により映像の鑑賞を開始することができる。
【００２９】
また、プロジェクタ１０は、図２に示すように、プロジェクタ１０に備えられた照明装置１２によって部屋１の照明を行うこともできる。この機能は、一般の照明器具と同様にして使用することができる。ここで、照明装置１２は、プロジェクタ１０の筐体１１の下面に配置されているため、比較的高い位置から室内を照明することができる。特に、プロジェクタ１０の下に別途照明器具を吊下げる構成と比較すると、照明の位置を格段に高くすることができる。これにより、部屋１のより広い範囲に照明光を行き渡らせることができるとともに、照明が人の移動の妨げになる不具合を避けることができる。なお、プロジェクタ１０による映像の鑑賞のための作業をさらに省略するために、プロジェクタ１０の投射動作の開始とともに照明装置１２が自動的に消灯するようにすることが好ましい。
【００３０】
以上、本発明の実施形態について説明したが、上記実施形態に対しては、本発明の趣旨から逸脱しない範囲で様々な変形を加えることができる。変形例としては、例えば以下のようなものが考えられる。
【００３１】
（変形例１）
投影システムとしての部屋１に用いられるスクリーン３０としては、上記実施形態の他にも、様々な方式のものを用いることができる。図７は、スクリーン３０の他の例を示す模式図である。このスクリーン３０は、カーテンレール３５に、カーテン３６とともに吊下げ金具３２を介して懸架されている。スクリーン３０は、使用しない場合には、図７（ａ）のようにカーテンレール３５の端部において縦長の筒の状態に巻き取られて収納されている。そして、使用の際には、図７（ｂ）のように上記筒状のままカーテンレール３５に沿って所定の位置まで移動させ、その後図７（ｃ）のように投影面３１を横方向に引き出して使用する。このようなスクリーン３０によっても、簡易な作業で映像を投影させて鑑賞することができる。この他にも、例えばカーテン３６自体をスクリーンとして用いる構成としてもよい。
【００３２】
（変形例２）
上記実施形態では、照明装置１２はＬＥＤ光源１２ａを用いたものであるが、これに限定する趣旨ではなく、蛍光管をはじめとする種々の光源を用いることができる。
【００３３】
（変形例３）
上記実施形態では、照明装置１２は平面的に配置される構成としたが、必ずしも平面である必要はない。すなわち、照明装置１２は、筐体１１のうち、コネクタ１４が照明用配線器具２０に取り付けられた状態において床面４に対向する面に配置されていればよく、曲面に配置されていたり、２以上の異なる面に配置されたりしていてもよい。これらいずれの構成によっても、照明装置１２によって部屋１の照明を行うことができる。
【図面の簡単な説明】
【００３４】
【図１】投影システムとしての部屋の断面図。
【図２】投影システムとしての部屋の断面図。
【図３】プロジェクタと照明用配線器具との接続の様子を示す斜視図。
【図４】互いに接続された状態のプロジェクタ及び照明用配線器具の断面図。
【図５】プロジェクタに備えられた照明装置の拡大平面図。
【図６】（ａ）及び（ｂ）は、プロジェクタによって投射された映像を投影するためのスクリーンの模式図。
【図７】（ａ）から（ｃ）は、スクリーンの他の例を示す模式図。
【符号の説明】
【００３５】
１…投影システムとしての部屋、２…天井、３…壁面、４…床面、１０…プロジェクタ、１１…筐体、１２…照明装置、１２ａ…ＬＥＤ光源、１２ｂ…カバー、１３…投射レンズ、１４…コネクタ、１６…プロジェクタ用電源回路、１８…照明装置用電源回路、２０…照明用配線器具、３０…スクリーン、３１…投影面、３５…カーテンレール、３６…カーテン、４０…送信装置、４１…受信装置。
【図１】
2008185757.tif 000003
【図２】
2008185757.tif 000004
【図３】
2008185757.tif 000005
【図４】
2008185757.tif 000006
【図５】
2008185757.tif 000007
【図６】
2008185757.tif 000008
【図７】
2008185757.tif 000009